(57)【要約】  【課題】ＡＤＦを備えた画像読取装置において、簡易な構成で、なるべくスキャンに関するユーザーの多様な要望に応える。  【解決手段】例えば、自動給紙装置（ＡＤＦ）を備えるスキャナー１は、スキャナー１動作モードを設定するモード設定部１００と、前記モード設定部１００が設定した前記動作モードに応じて給紙速度および排紙速度を設定する給排紙速度設定部１０５と、給排紙速度設定部１０５が設定した前記給紙速度で、原稿の給紙を行う給紙制御部１１０と、給排紙速度設定部１０５が設定した前記排紙速度で、原稿の排紙を行う排紙制御部１４０と、を有する。【選択図】図２
2010226619.tif 000002
【特許請求の範囲】
【請求項１】
自動給紙装置を備える画像読取装置であって、
動作モードを設定するモード設定手段と、
前記モード設定手段が設定した前記動作モードに応じて第１の速度および第２の速度を設定する速度設定手段と、
前記速度設定手段が設定した前記第１の速度で、原稿の読み取り前の搬送を行う第１の搬送制御手段と、
前記速度設定手段が設定した前記第２の速度で、原稿の読み取り後の搬送を行う第２の搬送制御手段と、
、を有する、
ことを特徴とする画像読取装置。
【請求項２】
請求項１に記載の画像読取装置であって、
前記動作モードには、読み取り解像度を低く設定する第１モード、読み取り解像度を高く設定する第２モードが含まれ、
前記速度設定手段は、
前記第１モードが設定された場合、前記第１の速度および前記第２の速度を高速に設定し、
前記第２モードが設定された場合、前記第１の速度および前記第２の速度を低速に設定する、
ことを特徴とする画像読取装置。
【請求項３】
請求項１または２に記載の画像読取装置であって、
前記動作モードには、前記自動給紙装置の動作音を抑制する第３モードが含まれ、
前記速度設定手段は、
前記３モードが設定された場合、前記第１の速度および前記第２の速度を低速に設定する、
ことを特徴とする画像読取装置。
【請求項４】
請求項１〜３いずれか一項に記載の画像読取装置であって、
前記動作モードには、読み取られた画像データの出力先に対応する動作モードが含まれ、
前記速度設定手段は、
前記出力先に対応する動作モードが設定された場合、当該動作モードにおける前記出力先に応じて前記第１の速度および前記第２の速度を設定する、
ことを特徴とする画像読取装置。
【請求項５】
請求項４に記載の画像読取装置であって、
前記速度設定手段は、
前記出力先が持ち運び可能な記憶媒体またはファクシミリである場合、前記第１の速度および前記第２の速度を低速に設定する、
ことを特徴とする画像読取装置。
【請求項６】
自動給紙装置を備える画像読取装置における画像読取制御方法であって、
前記画像読取装置は、
動作モードを設定するモード設定ステップと、
前記モード設定ステップにおいて設定された前記動作モードに応じて第１の速度および第２の速度を設定する速度設定ステップと、
前記速度設定ステップにおいて設定された前記第１の速度で、原稿の読み取り前の搬送を行う第１の搬送制御ステップと、
前記速度設定ステップにおいて設定された前記第２の速度で、原稿の読み取り後の搬送を行う第２の搬送制御ステップと、を実行する、
ことを特徴とする画像読取装置。
【請求項７】
自動給紙装置を備える画像読取装置において実行される画像読取制御プログラムであって、
動作モードを設定するモード設定手段と、
前記モード設定手段が設定した前記動作モードに応じて第１の速度および第２の速度を設定する速度設定手段と、
前記速度設定手段が設定した前記第１の速度で、原稿の読み取り前の搬送を行う第１の搬送制御手段と、
前記速度設定手段が設定した前記第２の速度で、原稿の読み取り後の搬送を行う第２の搬送制御手段として、前記画像読取装置を機能させる、
ことを特徴とする画像読取制御プログラム。
【発明の詳細な説明】
【技術分野】
【０００１】
本発明は、自動給紙装置（ＡＤＦ：Auto Document Feeder）を用いた画像読取技術に関する。
【背景技術】
【０００２】
ＡＤＦを備えた画像読取装置、例えば、イメージスキャナー、コピー機、複合機等がある。かかる画像読取装置は、ＡＤＦにより原稿を搬送させながら、静止させたイメージセンサー等の読み取り部により原稿の画像データを読み取る（例えば、特許文献１）。読み取られた画像データは、例えば、ホストコンピューター、ハードディスク、プリンター等に、送信される。
【先行技術文献】
【特許文献】
【０００３】
【特許文献１】特開２００２−１１８７２４号公報
【発明の概要】
【発明が解決しようとする課題】
【０００４】
ところで、ＡＤＦの動作音は、原稿の搬送速度が速いほど大きくなる傾向がある。この動作音（特に、高周波数の音）は、ユーザーにとっては騒音と感じられる場合がある。
【０００５】
しかしながら、従来の画像読取装置では、ＡＤＦによる原稿の給紙速度および排紙速度は、予め固定的に設定されており、変更することができない。なお、イメージセンサーによる原稿の読み取り中の原稿の搬送速度は、例えば、読み取り解像度などに応じて変化する。
【０００６】
そのため、従来の画像読取装置は、ＡＤＦの動作音をより静かにしたいというユーザーの要望に応えることができない。また、例えば、読み取り処理のスループット（原稿の給紙が開始されてから排紙が完了するまでのスループット）を重視する場合に、ＡＤＦの原稿の給紙速度および排紙速度を上げたり、読み取り処理のスループットを重視しない場合に、ＡＤＦの原稿の給紙速度および排紙速度を下げたり、といったユーザーの多様な要望に応えることができない。
【０００７】
そこで、本願発明は、ＡＤＦを備えた画像読取装置において、簡易な構成で、なるべくスキャンに関するユーザーの多様な要望に応えるための技術を提供することを目的としている。
【課題を解決するための手段】
【０００８】
上記の課題を解決するための本発明の第１の態様は、自動給紙装置を備える画像読取装置であって、動作モードを設定するモード設定手段と、前記モード設定手段が設定した前記動作モードに応じて第１の速度および第２の速度を設定する速度設定手段と、前記速度設定手段が設定した前記第１の速度で、原稿の読み取り前の搬送を行う第１の搬送制御手段と、前記速度設定手段が設定した前記第２の速度で、原稿の読み取り後の搬送を行う第２の搬送制御手段と、を有する、ことを特徴とする。
【０００９】
ここで、前記動作モードには、読み取り解像度を低く設定する第１モード、読み取り解像度を高く設定する第２モードが含まれ、前記速度設定手段は、前記第１モードが設定された場合、前記第１の速度および前記第２の速度を高速に設定し、前記第２モードが設定された場合、前記第１の速度および前記第２の速度を低速に設定する、ことを特徴としていてもよい。
【００１０】
また、前記動作モードには、前記自動給紙装置の動作音を抑制する第３モードが含まれ、前記速度設定手段は、前記３モードが設定された場合、前記第１の速度および前記第２の速度を低速に設定する、ことを特徴としていてもよい。
【００１１】
また、前記動作モードには、読み取られた画像データの出力先に対応する動作モードが含まれ、前記速度設定手段は、前記出力先に対応する動作モードが設定された場合、当該動作モードにおける前記出力先に応じて前記第１の速度および前記第２の速度を設定する、ことを特徴としていてもよい。例えば、前記速度設定手段は、前記出力先が持ち運び可能な記憶媒体またはファクシミリである場合、前記第１の速度および前記第２の速度を低速に設定する。
【００１２】
上記の課題を解決するための本発明の第２の態様は、自動給紙装置を備える画像読取装置における画像読取制御方法であって、前記画像読取装置は、動作モードを設定するモード設定ステップと、前記モード設定ステップにおいて設定された前記動作モードに応じて第１の速度および第２の速度を設定する速度設定ステップと、前記速度設定ステップにおいて設定された前記第１の速度で、原稿の読み取り前の搬送を行う第１の搬送制御ステップと、前記速度設定ステップにおいて設定された前記第２の速度で、原稿の読み取り後の搬送を行う第２の搬送制御ステップと、を実行する、ことを特徴とする。
【００１３】
上記の課題を解決するための本発明の第３の態様は、自動給紙装置を備える画像読取装置において実行される画像読取制御プログラムであって、動作モードを設定するモード設定手段と、前記モード設定手段が設定した前記動作モードに応じて第１の速度および第２の速度を設定する速度設定手段と、前記速度設定手段が設定した前記第１の速度で、原稿の読み取り前の搬送を行う第１の搬送制御手段と、前記速度設定手段が設定した前記第２の速度で、原稿の読み取り後の搬送を行う第２の搬送制御手段として、前記画像読取装置を機能させる、ことを特徴とする。
【図面の簡単な説明】
【００１４】
【図１】本発明の画像読取装置の一例であるスキャナー１の概略構成を示すブロック図。
【図２】スキャナー１の制御部３５の機能構成の一例を示すブロック図。
【図３】給排紙速度制御テーブル２００の構成例を示す図。
【図４】スキャナー１における複数の原稿の読み取り処理を示すフロー図。
【発明を実施するための形態】
【００１５】
以下に、本発明の一実施形態について説明する。
【００１６】
図１は、本発明の画像読取装置の一例であるスキャナー１の概略構成図を示す。
【００１７】
スキャナー１は、筐体の上面に原稿台を備えたいわゆるフラットベッド型イメージスキャナーである。スキャナー１は、透明板を有する原稿台に固定された原稿に、下から光を当てて、イメージセンサー１１を走査して画像を読み取る。
【００１８】
スキャナー１は、被読取媒体である原稿を載せるための上向きの原稿台５０と、この原稿台５０の原稿載置面（盤面）５１およびイメージ読取窓５３を上からカバーする蓋５２とを備える。蓋５２は、原稿台５０にヒンジ機構を介して結合しており、開閉可能である。
【００１９】
また、蓋５２と一体となって、盤面５１の図中左側、すなわち、イメージ読取窓５３の上側に、ＡＤＦ４０が設けられている。ＡＤＦ４０は、読み取り対象の原稿を載せるための給紙トレイ４１と、給紙トレイ４１上の原稿の有無を検知する原稿センサー４２と、給紙トレイ４１上の原稿をＡＤＦ４０内部の搬送路へと搬送する給紙ローラー４３と、搬送されて来る原稿の先端（上端）を検知する先端センサー４４と、原稿の搬送を行う搬送ローラー４５と、原稿を排紙トレイ４７へ排出する排紙ローラー４６と、排紙された原稿を載せるための排紙トレイ４７と、上記の各ローラーを回転させる駆動モーター（不図示）とを有する。
【００２０】
ＡＤＦ４０は、上記の構成により、給紙トレイ４１上に載置された原稿を搬送路に沿って搬送し、イメージ読取窓５３の上面を通過させ、排紙トレイ４７上に排出することができる。なお、本実施形態では、給紙ローラー４３、搬送ローラー４５、および排紙ローラー４６は、共通の１つの駆動モーターにより、同じタイミングで回転を開始し、同じ回転速度で回転し、同じタイミングで回転を停止する。
【００２１】
本実施形態では、ＡＤＦ４０が原稿を搬送する動作として、給紙期間（読み取り前）、頭出し期間（読み取り前）、読み取り期間（読み取り中）、排紙期間（読み取り後）がある。
【００２２】
給紙期間とは、原稿が、第１の位置（原稿の先端が給紙ローラー４３を通過し始めた位置）から第２の位置（原稿の先端が先端センサー４４により検知された位置）まで移動する期間である。
【００２３】
頭出し期間とは、原稿が、第２の位置から第３の位置（原稿中の読み取り対象領域の先端がイメージセンサー１１の読み取り位置に到達した位置）まで移動する期間である。
【００２４】
読み取り期間とは、原稿が、第３の位置から第４の位置（原稿中の読み取り対象領域の先端がイメージセンサー１１による指定ライン数分の原稿の読み取りで移動した位置）まで移動する期間である。
【００２５】
排紙期間とは、原稿が、第４の位置から第５の位置（原稿の後端が排紙ローラー４６を通過した位置）まで移動する期間である。
【００２６】
なお、ＡＤＦ４０の動作は上記に限られない。例えば、給紙動作と頭出し動作は一体となっていてもよい。この場合、ＡＤＦ４０が原稿を搬送する動作は、給紙期間（読み取り前）、読み取り期間（読み取り中）、および排紙期間（読み取り後）に分けられる。
【００２７】
さらに、スキャナー１は、原稿台５０の下に、イメージセンサー１１を搭載したキャリッジ１０と、キャリッジ１０の往復移動を制御するキャリッジ駆動機構２０と、スキャナー１の全体を制御するメイン基板３０とを備えている。
【００２８】
キャリッジ１０は、イメージセンサー１１を副走査方向に運搬する。キャリッジ１０は、原稿台５０の盤面５１およびイメージ読取窓５３に対し平行なガイド用のシャフト等にスライド自在に取り付けられており、キャリッジ駆動機構２０のモーター２１により回転するベルトにより牽引され、往復移動をする。ＡＤＦ４０により原稿を搬送させながら読み取りを行う場合、キャリッジ１０は、イメージ読取窓５３の下の所定位置に固定される。
【００２９】
キャリッジ駆動機構２０は、キャリッジ１０に取り付けられたベルトを回転させるためのモーター２１と、モーター２１の回転量に応じてパルスを出力するエンコーダー２２とを備えている。
【００３０】
メイン基板３０は、Ａ／Ｄ変換器３１と、出力部３４と、制御部３５とを有する。
【００３１】
Ａ／Ｄ変換器３１は、イメージセンサー１１からのアナログ信号をデジタル信号に変換し、制御部３５に出力する。
【００３２】
出力部３４は、ホストの処理能力に応じた転送速度で、制御部３５のメモリーに格納された画像データをパーソナルコンピューターなどのホストコンピューターに送る。もちろん、画像データの出力先は、ホストコンピューターに限られず、フラッシュメモリー等のポータブルな記憶媒体、ハードディスク等であってもよい。また、スキャナー１がコピー機や複合機の一部である場合には、画像データの出力先は、プリンター、ファクシミリ等であってもよい。
【００３３】
制御部３５は、ＡＤＦ４０と、キャリッジ駆動機構２０と、イメージセンサー１１とを制御する。例えば、制御部３５は、ＡＤＦ４０の駆動モーターを制御し、給紙期間、頭出し期間、読み取り期間、排紙期間における原稿の搬送を制御する。また、キャリッジ駆動機構２０のモーター２１の回転を制御し、キャリッジ１０の移動を制御する。また、エンコーダー２２の出力パルスから、キャリッジ１０の位置や移動速度を求める。
【００３４】
また、制御部３５は、読み取り期間におけるイメージセンサー１１の画像読み取り動作の開始、停止等を制御する。また、制御部３５は、Ａ／Ｄ変換器３１から出力されたデータをバッファリングするバッファーや、当該バッファーから出力されたデータを一時的に記憶するメモリーを有する。そして、制御部３５は、Ａ／Ｄ変換器３１から出力された画像データのバッファーおよびメモリーへの入出力を制御する。また、バッファーおよびメモリーのデータ量を監視し、格納されているデータ量に応じて、ＡＤＦ４０の駆動モーターおよびイメージセンサー１１を制御し、原稿の読み取り動作の開始、停止等を制御する。
【００３５】
かかる制御部３５は、主制御装置であるＣＰＵと、プログラム等が記録されたＲＯＭと、メインメモリーとしてデータ等を一時的に格納するＲＡＭとを備えたコンピュータで構成することができる。なお、各処理を専用に行うように設計されたＡＳＩＣ（Application Specific Integrated Circuit ）で構成されていてもよい。
【００３６】
以上がスキャナー１の構成である。ただし、この構成は、本願発明の特徴を説明するにあたって主要構成を説明したのであって、上記の構成に限られない。また、一般的なスキャナーが備える他の構成を排除するものではない。例えば、ユーザーの操作を受け付けるための操作パネルや、フラッシュメモリー等のポータブルな記憶媒体専用のインターフェイス、ＵＳＢインターフェイス等を有していてもよい。
【００３７】
図２は、スキャナー１の制御部３５の機能構成の一例を示すブロック図である。
【００３８】
本図に示すように、制御部３５は、モード設定部１００と、給排紙速度設定部１０５と、給紙制御部１１０と、頭出し制御部１２０と、スキャン制御部１３０と、排紙制御部１４０とを有する。これらの機能部は、例えば、ＣＰＵがＲＯＭからＲＡＭにロードした所定のプログラムを実行することにより実現される。この所定のプログラムは、例えば、インターネットなどのネットワークからインストールもしくは更新可能であってもよい。
【００３９】
モード設定部１００は、読み取り解像度（例えば、ドラフト、標準、高解像度など）、原稿種別（例えば、写真、文書など）、読み取り色（例えば、カラー、モノクロ）、読み取り画像データの出力先（例えば、フラッシュメモリー等のポータブルな記憶媒体、ファクシミリ、ホストコンピューター、プリンターなど）、等の各種スキャン設定（スキャンモード）を設定する。
【００４０】
モード設定部１００は、例えば、操作パネルにスキャンモードを指定するための設定メニューを表示し、設定メニュー上でユーザーが指定したスキャンモードを取得する。また、例えば、ホストコンピューターにおいて（ドライバープログラム等により表示された設定メニュー上で）ユーザーが指定したスキャンモードを、ネットワークを介して取得するようにしてもよい。また、例えば、デフォルト設定、原稿のサイズなどに応じた自動設定などを行うようにしてもよい。
【００４１】
給排紙速度設定部１０５は、予め定めた条件に従って、モード設定部１００が設定した（モード設定部１００が保存している）スキャンモードに対応するＡＤＦ４０の給紙速度および排紙速度を設定する。そのため、給排紙速度設定部１０５は、給排紙速度制御テーブル２００を有する。なお、給排紙速度設定部１０５の給排紙速度の設定方法は、テーブルを用いた制御方法に限られない。
【００４２】
図３は、給排紙速度制御テーブル２００の構成例を示す図である。本図に示すように、給排紙速度制御テーブル２００には、スキャンモード２１０と、給紙速度２２０と、排紙速度２３０とを対応付けたエントリーが予め複数格納される。新しいエントリーをユーザーが追加できてもよい。
【００４３】
スキャンモード２１０は、上記の各スキャンモードを特定する識別情報である。
【００４４】
給紙速度２２０は、ＡＤＦ４０の給紙速度を示す情報であり、例えば、ＡＤＦ４０の駆動モーターの回転速度を制御するための情報（pps：pulse per second）である。給紙速度２２０は、給紙制御部１１０により使用される。
【００４５】
排紙速度２３０は、ＡＤＦ４０の排紙速度を示す情報であり、例えば、ＡＤＦ４０の駆動モーターの回転速度を制御するための情報（pps）である。排紙速度２３０は、排紙制御部１４０により使用される。
【００４６】
給排紙速度設定部１０５は、上記の給排紙速度制御テーブル２００を参照し、取得したスキャンモードと対応するスキャンモード２１０を有するエントリーを特定する。そして、特定したエントリーの給紙速度２２０を取得して、給紙制御部１１０に通知する。また、特定したエントリーの排紙速度２３０を取得して、排紙制御部１４０に通知する。
【００４７】
ここで、給排紙速度制御テーブル２００に格納される各エントリーについて、例を挙げて説明する。
【００４８】
例えば、スキャンモード２１０が「ドラフト」の場合、給紙速度２２０および排紙速度２３０には、ＡＤＦ４０が実現可能な、できる限り速い速度を示す情報が予め設定される。これにより、「ドラフト」モードにおいて、ＡＤＦ４０の動作音を抑制せずに、より高速な読取処理のスループットを実現することができる。
【００４９】
また、例えば、スキャンモード２１０が「標準」の場合、給紙速度２２０および排紙速度２３０には、スキャンモード２１０が「ドラフト」の場合よりも低い速度を示す情報が予め設定される。これにより、「標準」モードにおいて、ＡＤＦ４０の動作音を「ドラフト」の場合よりも抑制することができる。
【００５０】
また、例えば、スキャンモード２１０が「高解像度」である場合、給紙速度２２０および排紙速度２３０には、スキャンモード２１０が「標準」の場合よりも低い速度を示す情報が予め設定される。これにより、「高解像度」モードにおいて、ＡＤＦ４０の動作音を「標準」の場合よりも抑制することができる。
【００５１】
もちろん、エントリーは上記に限られない。
【００５２】
例えば、スキャンモード２１０として「静穏（もしくは静音）」モードを設けてもよい。この場合、給紙速度２２０および排紙速度２３０には、上記の「高解像度」モードの場合と同程度の低い速度を示す情報が予め設定される。これにより、ユーザーが「静穏（もしくは静音）」モードを選択すれば、読み取り解像度等の画質に関するモードに係らず、ＡＤＦ４０の動作音が抑制される。
【００５３】
また、例えば、スキャンモード２１０として「高速」モードを設けてもよい。この場合、給紙速度２２０および排紙速度２３０には、上記の「ドラフト」モードの場合と同程度の高い速度を示す情報が予め設定される。これにより、ユーザーが「高速」モードを選択すれば、読み取り解像度等の画質に関するモードに係らず、より高速な読取処理のスループットを実現することができる。
【００５４】
また、例えば、画像データの出力先に対応するスキャンモード２１０、「記憶媒体」、「ファクシミリ」、「ＰＣ（Personal Computer）」、「プリンター」等を設けてもよい。スキャンモード２１０が「記憶媒体」もしくは「ファクシミリ」の場合、上記の「高解像度」モードの場合と同程度の低い速度を示す情報が予め設定される。このようなエントリーは、出力先が記憶媒体やファクシミリの場合に高速なスキャンを特に希望しないユーザーが多い場合には効果的である。
【００５５】
上記のエントリーに対して、スキャンモード２１０が「ＰＣ」もしくは「プリンター」の場合、上記の「ドラフト」モードの場合と同程度の高い速度を示す情報が予め設定される。このようなエントリーは、出力先がＰＣやプリンターの場合に高速なスキャンを希望するユーザーが多い場合には効果的である。
【００５６】
以上が給排紙速度制御テーブル２００に格納されるエントリーの例である。なお、ＡＤＦ４０の給紙に関する機構（ギア、ローラーなど）は、排紙に関する機構よりも複雑なため、動作音が大きくなり易い。また、原稿を排紙トレイに上手くスタックさせるためには、より速い排紙速度で排紙した方がよい。従って、各エントリーには、排紙速度２３０が給紙速度２２０よりも高くなるように設定してもよい。このようにすれば、いずれのモードでも全体的に動作音を抑制することができる。また、原稿を排紙トレイにより上手くスタックさせることができる。
【００５７】
また、複数のスキャンモードが設定されている場合には、予め定めた優先順序に従っていずれか１つのスキャンモードを優先して選択して、給排紙速度制御テーブル２００のエントリーを特定するようにすればよい。また、上記の各エントリーの給紙速度２２０および排紙速度２３０の設定値は、上記に限られない。ユーザーが変更できるようにしてもよい。新しいエントリーをユーザーが追加できてもよい。
【００５８】
図２に戻って、給紙制御部１１０は、給排紙速度設定部１０５から通知された給紙速度に従って、ＡＤＦ４０の駆動モーターを制御し、原稿の給紙動作を制御する。
【００５９】
頭出し制御部１２０は、ＡＤＦ４０の駆動モーターを制御して、原稿の頭出し動作を制御する。頭出しの速度は、モード設定部１００が設定した読み取り解像度などに応じて予め定められた速度、もしくは、固定的に設定された速度である。
【００６０】
もちろん、給排紙速度制御テーブル２００のエントリーに頭出し速度を対応付けてもよい。この場合、頭出し速度には、例えば、給紙速度２２０と同じ値を予め設定するようにする。給排紙速度設定部１０５は、スキャンモードに応じたエントリーを特定し、その頭出し速度を頭出し制御部１２０に通知する。そして、頭出し制御部１２０は、給排紙速度設定部１０５から通知された頭出し速度に従って、ＡＤＦ４０の駆動モーターを制御し、原稿の頭出し動作を制御する。
【００６１】
スキャン制御部１３０は、ＡＤＦ４０の駆動モーターを制御して、原稿を搬送するとともに、イメージセンサー１１を制御して、原稿の画像データの読み取りを制御する。読み取り期間の原稿の搬送速度は、モード設定部１００が設定した読み取り解像度などに応じて予め定められた速度である。
【００６２】
排紙制御部１４０は、給排紙速度設定部１０５から通知された排紙速度に従って、ＡＤＦ４０の駆動モーターを制御して、原稿の排紙動作を制御する。
【００６３】
なお、上記の各構成要素は、スキャナー１の構成を理解容易にするために、主な処理内容に応じて分類したものである。構成要素の分類の仕方や名称によって、本願発明が制限されることはない。スキャナー１の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。
【００６４】
次に、上記のように構成されるスキャナー１の特徴的な動作について説明する。
【００６５】
図４は、スキャナー１における複数の原稿の読み取り処理を示すフロー図である。本フローは、制御部３５が、原稿センサー４２により原稿を検知した状態で、例えば、操作パネル介して、もしくは、ホストコンピューターから、ユーザーからの原稿の読取要求を受け付けた場合に、開始される。
【００６６】
Ｓ１０では、モード設定部１００は、スキャンモードを取得する。具体的には、モード設定部１００は、ユーザーからの原稿の読取要求が受け付けられたときに指定されているスキャンモードを取得し、原稿の読み取りのための設定を行う。そして、処理をＳ２０に進める。
【００６７】
Ｓ２０では、給排紙速度設定部１０５は、給紙速度および排紙速度を設定する。具体的には、給排紙速度設定部１０５は、給排紙速度制御テーブル２００を参照し、Ｓ１０でモード設定部１００により設定されたスキャンモードと対応するスキャンモード２１０を有するエントリーを特定する。そして、特定したエントリーの給紙速度２２０を取得して、給紙制御部１１０に通知する。また、特定したエントリーの排紙速度２３０を取得して、排紙制御部１４０に通知する。それから、処理をＳ３０に進める。
【００６８】
なお、Ｓ２０において、給排紙速度設定部１０５は、上述したように、スキャンモードに応じたエントリーを特定し、その頭出し速度を頭出し制御部１２０に通知するようにしてもよい。
【００６９】
Ｓ３０では、給紙制御部１１０は、１枚目もしくは２枚目以降の原稿の給紙を実行する。具体的には、給紙制御部１１０は、Ｓ２０で給排紙速度設定部１０５から通知された給紙速度に従って、ＡＤＦ４０の駆動モーターを制御して、給紙トレイ４１から原稿を給紙する。そして、処理をＳ４０に進める。
【００７０】
Ｓ４０では、頭出し制御部１２０は、１枚目もしくは２枚目以降の原稿の頭出しを実行する。具体的には、頭出し制御部１２０は、モード設定部１００が設定した読み取り解像度などに応じて予め定められた速度に従って、ＡＤＦ４０の駆動モーターを制御して、Ｓ３０で給紙された原稿を頭出しする。そして、処理をＳ５０に進める。
【００７１】
なお、Ｓ４０において、頭出し制御部１２０は、上述したように、Ｓ２０で給排紙速度設定部１０５から通知された頭出し速度に従って、ＡＤＦ４０の駆動モーターを制御し、原稿の頭出し動作を制御するようにしてもよい。
【００７２】
Ｓ５０では、スキャン制御部１３０は、１枚目もしくは２枚目以降の原稿のスキャンを実行する。具体的には、スキャン制御部１３０は、モード設定部１００が設定した読み取り解像度などに応じて予め定められた速度に従って、ＡＤＦ４０の駆動モーターを制御して、Ｓ４０で頭出しされた原稿を搬送するとともに、イメージセンサー１１を制御して、原稿の画像データを読み取る。そして、処理をＳ６０に進める。なお、読み取られた画像データは、メモリーに一時的に記憶され、出力部３４により読み出される。
【００７３】
Ｓ６０では、排紙制御部１４０は、１枚目もしくは２枚目以降の原稿の排紙を実行する。具体的には、排紙制御部１４０は、Ｓ２０で給排紙速度設定部１０５から通知された排紙速度に従って、ＡＤＦ４０の駆動モーターを制御して、Ｓ５０でスキャンされた原稿を排紙する。そして、処理をＳ７０に進める。
【００７４】
Ｓ７０では、給紙制御部１１０は、次の原稿が有るかないかを判定する。具体的には、給紙制御部１１０は、原稿センサー４２により原稿の有無を判定する。次の原稿が無い場合（Ｓ７０：ＮＯ）、本フローを終了する。次の原稿が有る場合（Ｓ７０：ＹＥＳ）、処理をＳ３０へ戻す。
【００７５】
以上がスキャナー１における複数の原稿の読み取り処理のフローである。なお、ＡＤＦ４０の給紙動作と頭出し動作が一体の場合は、Ｓ３０およびＳ４０は一体となって実行される。
【００７６】
以上、本発明の一実施形態について説明した。本実施形態によれば、ＡＤＦを備えた画像読取装置において、簡易な構成で、なるべくスキャンに関するユーザーの多様な要望に応えることができる。
【００７７】
なお、上記の本発明の実施形態は、本発明の要旨と範囲を例示することを意図し、限定するものではない。多くの代替物、修正および変形例が当業者にとって明らかである。
【００７８】
本発明は、スキャナーだけでなく、スキャナーを備えたコピー機、複合機、ファクシミリ等の装置にも適用することができる。
【符号の説明】
【００７９】
１：スキャナー、１０：キャリッジ、１１：イメージセンサー、２０：キャリッジ駆動機構、２１：モーター、２２：エンコーダー、３０：メイン基板、３１：Ａ／Ｄ変換器、３４：出力部、３５：制御部、４１：給紙トレイ、４２：原稿センサー、４３：給紙ローラー、４４：先端センサー、４５：搬送ローラー、４６：排紙ローラー、４７：排紙トレイ、５０：原稿台、５１：盤面、５２：蓋、５３：イメージ読取窓、１００：モード設定部、１０５：給排紙速度設定部、１１０：給紙制御部、１２０：頭出し制御部、１３０：スキャン制御部、１４０：排紙制御部、２００：給排紙速度制御テーブル、２１０：スキャンモード、２２０：給紙速度、２３０：排紙速度
【図１】
2010226619.tif 000003
【図２】
2010226619.tif 000004
【図３】
2010226619.tif 000005
【図４】
2010226619.tif 000006